【事件の表示】
　平成　７年特許願第２３７８５６号「容器仕上部形状パラメータの光学的検査」拒絶査定に対する審判事件［平成　８年　７月１６日出願公開、特開平　８−１８４４１６］について、次のとおり審決する。
【結　論】
　本件審判の請求は、成り立たない。
【理　由】
１．手続きの経緯、本願発明
　本願は、平成７年８月２４日（パリ条約による優先権主張　平成６年８月２５日）の出願であって、その請求項に係る発明は、平成９年６月６日付け手続補正書によって補正された明細書及び図面の記載からみて、特許請求の範囲に記載されたとおりのものと認められるところ、請求項１に係る発明は次のとおりである。
「【請求項１】（ａ）透明容器仕上部の外面に平行光エネルギーを送るステップであって、この光エネルギーの第１部分が仕上部外面を通過し、第２部分が仕上部外面に入射して容器仕上部により反射又は屈折し、前記第２部分の光線は前記第１部分の平行光線とはもはや平行ではないステップ、
（ｂ）マトリックスアレイセンサーの光軸に平行な方向に容器仕上部外面を通過する前記平行光エネルギーの前記第１部分を、アイリスを通ってマトリックスアレイセンサー上に焦点合わせするステップであって、それにより、容器仕上部により反射又は屈折された前記平行光エネルギーの前記第２部分を、前記センサー上に焦点合わせされた光エネルギーから排除し、その結果、容器仕上部の外面輪郭が前記センサーにおいて明るい背景に対して暗い像として現れるステップ、
（ｃ）前記マトリックスアレイセンサーを走査して容器仕上部の外面輪郭の２次元像を得るステップ、及び
（ｄ）前記２次元像から容器仕上部の少なくとも一つの外面形状パラメータを求めるステップ
を含む透明容器仕上部の外形形状パラメータを検査する方法。」（以下、本願発明という）
　
２．引用例に記載された事項
　これに対して、原査定の拒絶の理由（平成１０年６月３０日付）に引用された米国特許第４６０８７０９号明細書（以下、「引用例」という）には、大概次のことが図面とともに記載されている。
「この発明は直径を測るための方法と装置、つまり容器の仕上げ部の楕円率と偏心を計ることを目的とする。」（１欄６５行〜６７行）、
「装置はさらに、１つの外縁から他の外縁へと像の連続するセグメントを周期的に走査するために、収束光束に対して感知可能なラインスキャンカメラとデータ処理回路を含む。容器が回転すると、それぞれの走査に対し複数のピクセルシグナルが提供される。上記データ処理回路は、走査毎にピクセルシグナルの強度を検知可能であって、走査毎に左の外縁のカウントと右の外縁のカウントを提供することにより、像の外縁でピクセルシグナルの数を数える。 」（２欄６行〜１５行）、
「検査位置３２と結び付けられて・・・回転駆動装置がシャフト３６を中心としてホイール３５を回す。検査装置３２において光学ヘッド２２によって走査される間に、ホイール３５は容器２０を回転させる。 ホイール３５のスピードは光学ヘッド２２が容器２０を走査するのよりずっと遅いレートにおいて容器を回転させる。光学ヘッド２２が容器を走査した後に、ポケット３１は容器２０を検査装置３２から排除位置に動かす。 もし光学式ヘッド２２によって提供されたデータが容器２０が欠陥品であることを示すなら、光学式コントロール２３は、ライン３７によって示されるように、容器２０をポケット３１から取り除く排除機構２８に信号を伝達する。 一方、次の容器は検査位置３２において光学ヘッド２２によって走査されている。」（３欄３１行〜４７行）、
「容器２０の先端３９は光源５２によって発生し、球形の、平凸のレンズ５３によって平行光にされた光線５１によって照明される。 平行光線５１は先端３９の全体を明るくするために鏡５４によって反射される。そしてその直径は、先端の最大径と軸方向高さを超えるものであり、先端３９の影を含んだ伝達される光線５１’を生ずる。 伝達された光線５１’はミラー５５によって反射され、先端カメラ４１のリニアアレイの全長に沿ってピクセルのすべてを照明するように、両凸のレンズ５６により合焦される。 先端カメラ４１のリニアアレイは適切に指向され、先端カメラ４１のレンズ４１’がラインによって ５７a と ５７bで示されるラインのように適切に焦点を合わせられることにより、カメラ４１の視野Ｆが明るくされた先端３９の横切ったスライス（図２と３）となるように合焦される。 ・・・そのために、先端カメラ４１とレンズ５６の間に配置された円筒状の平凸レンズ５９が、破線５９a，５９bで示すように拡大された視野Ｆ’を作り出すように、リニアアレイの先端カメラ４１で容器２０の軸の方向にそれぞれのピクセルのフィールドＦが増大される。・・・リニアアレイの先端カメラ４１のそれぞれのピクセルが拡大されたフィールドＦ’の上の部分からフィールドＦ’のより低い部分まで平均の強度を感じる。 現在利用可能などんな装置とも異なり、“２次元の”情報を得るために“リニア”な走査カメラ４１が使われている。・・・ 
伝達された光線５１’は先端３９の影を含んでいるので、ピクセルの信号は、フィールドＦ’の左の外縁（すなわち、フィールドＦ’の左のエッジから先端３９の左のエッジまで）とフィールドＦ’の右の外縁（すなわち、フィールドＦ’の右のエッジから先端３９の右のエッジまで）を提供し、対応するピクセルが伝達された光線５１の障害がない部分の高い強度を検知する。・・・したがって左のエッジから先端３９の右のエッジまでは、伝達された光線の５１’の影の部分を検知することになるから、強度は弱くなる。」（４欄６行〜６２行）
　
３．対比・判断
　そこで、本願発明と引用例に記載された発明とを対比する。
（１）引用例に「容器２０の先端３９は光源５２によって発生し、球形の、平凸のレンズ５３によって平行光にされた光線５１によって照明される。」 との記載があり、これは本願発明の技術的事項である「透明容器仕上部の外面に平行光エネルギーを送るステップ」を示すものである。また、引用例には「伝達された光線５１’は先端３９の影を含んでいるので、ピクセルの信号は、フィールドＦ’の左の外縁（すなわち、フィールドＦ’の左のエッジから先端３９の左のエッジまで）とフィールドＦ’の右の外縁（すなわち、フィールドＦ’の右のエッジから先端３９の右のエッジまで）を提供し、対応するピクセルが伝達された光線５１の障害がない部分の高い強度を検知する。・・・したがって左のエッジから先端３９の右のエッジまでは、伝達された光線の５１’の影の部分を検知することになるから、強度は弱くなる。」との記載があり、その際「影になる」とは、光が吸収あるいは屈折等で光が直進しないことを示すことを勘案すれば、上記「光線５１の障害がない部分」「伝達された光線の５１’の影の部分」がそれぞれ本願発明の「光エネルギーの第１部分」「光エネルギーの第２部分」に相当することは明らかである。よって、引用例のものは、本願発明の（ａ）の技術的事項を有するものである。
（２）請求項１の「容器仕上部により反射又は屈折された前記平行光エネルギーの前記第２部分を、前記センサー上に焦点合わせされた光エネルギーから排除」するとの記載に関し、本願明細書には、次の記載がある。
「容器１４に突き当たった光線は反射され、吸収され、及び／又は屈折されるので、レンズ／カメラの軸に平行な方向には容器から出てはこない。」（【０００５】）
　これによれば、本願発明の記載中の「センサー上に焦点合わせされた光エネルギーから排除」とは、単に容器１４に突き当たった光線は反射、吸収または屈折されることを意味するものと考えられるが、この点に関し、引用例には、「伝達された光線５１’は先端３９の影を含んでいるので、ピクセルの信号は、フィールドＦ’の左の外縁（すなわち、フィールドＦ’の左のエッジから先端３９の左のエッジまで）とフィールドＦ’の右の外縁（すなわち、フィールドＦ’の右のエッジから先端３９の右のエッジまで）を提供し、対応するピクセルが伝達された光線５１の障害がない部分の高い強度を検知する。・・・したがって左のエッジから先端３９の右のエッジまでは、伝達された光線の５１’の影の部分を検知することになるから、強度は弱くなる。」（４欄４８行〜６２行）と記載されており、障害のない部分は検知強度が高く、先端３９の部分は影になり、検知強度が弱いことが理解され、その際「影になる」とは、光が吸収あるいは屈折等で光が直進しないことを示すことは明らかであるから、両者はこの点において実質的に差異を有するものではない。
　また、引用例のものが、「平行光エネルギーの前記第１部分を、アイリスを通って」「アレイセンサー上に焦点合わせする」ことは、引用例の「先端カメラ４１のリニアアレイは適切に指向され、先端カメラ４１のレンズ４１’がラインによって ５７a と ５７bで示されるラインのように適切に焦点を合わせられることにより、カメラ４１の視野Ｆが明るくされた先端３９の横切ったスライス（図２と３）となるように合焦される。」との記載事項から明らかである。よって、引用例のものは、本願発明の「アレイセンサーの光軸に平行な方向に容器仕上部外面を通過する前記平行光エネルギーの前記第１部分を、アイリスを通ってアレイセンサー上に焦点合わせするステップであって、それにより、容器仕上部により反射又は屈折された前記平行光エネルギーの前記第２部分を、前記センサー上に焦点合わせされた光エネルギーから排除し、その結果、容器仕上部の外面輪郭が前記センサーにおいて明るい背景に対して暗い像として現れるステップ」との技術的事項を有するものである。
（３）引用例に「検査装置３２において光学ヘッド２２によって走査される間に、ホイール３５は容器２０を回転させる。」「リニアアレイの先端カメラ４１のそれぞれのピクセルが拡大されたフィールドＦ’の上の部分からフィールドＦ’のより低い部分まで平均の強度を感じる。 現在利用可能などんな装置とも異なり、“２次元の”情報を得るために“リニア”な走査カメラ４１が使われている。」との記載があることから、引用例のものは、「アレイセンサーを走査して容器仕上部の外面輪郭の２次元情報を得るステップ」を示すものである。
　また、「像」の用語は、「像情報」と言い換えることができるから、引用例の「“２次元の”情報」及び本願発明の「２次元像」は共に、「２次元情報」ということができる。
（４）引用例に「この発明は直径を測るための方法と装置、つまり容器の仕上げ部の楕円率と偏心を計ることを目的とする。」（１欄６５行〜６７行）と記載されているのは上記のとおりであるから、引用例は「２次元情報から容器仕上部の少なくとも一つの外面形状パラメータを求めるステップ、を含む透明容器仕上部の外形形状パラメータを検査する方法」との技術的事項を示すものである。
　上記（１）〜（４）の考察から、両者は、
「（ａ）透明容器仕上部の外面に平行光エネルギーを送るステップであって、この光エネルギーの第１部分が仕上部外面を通過し、第２部分が仕上部外面に入射して容器仕上部により反射又は屈折し、前記第２部分の光線は前記第１部分の平行光線とはもはや平行ではないステップ、
（ｂ’）アレイセンサーの光軸に平行な方向に容器仕上部外面を通過する前記平行光エネルギーの前記第１部分を、アイリスを通ってアレイセンサー上に焦点合わせするステップであって、それにより、容器仕上部により反射又は屈折された前記平行光エネルギーの前記第２部分を、前記センサー上に焦点合わせされた光エネルギーから排除し、その結果、容器仕上部の外面輪郭が前記センサーにおいて明るい背景に対して暗い像として現れるステップ、
（ｃ’）前記アレイセンサーを走査して容器仕上部の外面輪郭の２次元情報を得るステップ、及び
（ｄ’）前記２次元情報から容器仕上部の少なくとも一つの外面形状パラメータを求めるステップ
を含む透明容器仕上部の外形形状パラメータを検査する方法」である点で一致し、次の点で相違する。
相違点：
　上記アレイセンサーが、本願発明では、マトリックスアレイセンサーであり、また上記２次元情報が、本願発明では、２次元像であるに対し、引用例のものは、それぞれリニアアレイセンサー及び“２次元の”情報である点。
　
　上記相違点について検討すると、引用例のものは、本願発明のものと具体的な情報の取得の仕方が相違するとはいえ、仕上げ部外縁の「２次元情報」を得る点では同様であって、また２次元情報を像の形で得ることも通常行われていることである。さらに、マトリックスアレイセンサが像等の２次元の情報を得るために通常使用されている素子であることは明らかであるとともに、リニアアレイセンサとマトリックスアレイセンサーがその目的に応じて適宜使用可能なデバイスであることは特開昭６１−１０７１４４号公報（特に５頁左上欄１０行〜同頁右上欄１８行）にも見られるように周知のことにすぎない。
　してみれば、引用例のリニアアレイセンサに替えて、周知のマトリックスアレイセンサを用い、外縁の２次元像を得ることにより上記相違点の技術的事項とすることは、上記周知技術を勘案すれば格別創意を要するものではなく、当業者が任意に設計できる程度の事項にすぎないものである。
　
　そして、本願発明が奏する作用効果は引用例に記載された発明及び周知技術に記載された発明から予測し得る程度のものである。
　
４．むすび
　したがって、本願発明は、引用例に記載された発明及び周知技術に基づいて当業者が容易に発明をすることができたものであるから、特許法第２９条第２項の規定により特許を受けることができない。
　よって、結論のとおり審決する。